(57)【特許請求の範囲】
【請求項１】
メガネ枠のための輪郭読み取り装置において、型板を固定位置に保持するための保持手段と、前記保持手段に関して可動であってキャリッジの移動方向に対し直交する軸線を有するロッドの端部にフィーラを支持する前記キャリッヂとを有し、前記型板の周辺領域の取り付け孔の位置を読み取る、取り付け孔位置読み取り装置であって、
前記保持手段の中心領域と同一の側において、前記フィーラを支持する前記ロッドの軸線と平行に位置決めされかつ前記フィーラを支持する前記ロッドの軸線から所定の距離にある送信・受信器であって、前記キャリッヂと一緒に移動することを拘束された少なくとも一つの前記送信・受信器を有する検出器を包含することを特徴とする取り付け孔位置読み取り装置。
【請求項２】
前記送信・受信器が、キャリッヂによって支持され前記保持手段の方向を向いたであることを特徴とする請求項１に記載の取り付け孔位置読み取り装置。
【請求項３】
前記フィーラが、前記要素と垂直方向で整列したミラーを支持していることを特徴とする請求項２に記載の取り付け孔位置読み取り装置。
【請求項４】
前記要素の前記フィーラを支持する前記ロッドの軸線からの距離が、前記型板の縁部と前記取り付け孔の間の距離と前記ロッドの直径の半分との和に等しいことを特徴とする請求項１に記載の取り付け孔位置読み取り装置。
【請求項５】
前記輪郭読み取り装置がさらに、記憶手段及び発信手段を有することを特徴とする請求項１に記載の取り付け孔位置読み取り装置。
【発明の詳細な説明】
【０００１】
【発明の属する技術分野】
本発明は、概ね、読み取るべき輪郭をもつ物品を固定位置に支持するようになった保持手段と、フィーラをロッドの端部に支持し前記保持手段に対し可動であるキャリッヂとを有する種類の輪郭読み取り装置における物品の取り付け孔の位置読み取り装置に関する。
【０００２】
【従来の技術】
このような種類の輪郭読み取り装置は、米国特許第５，１２１，５４８号公報に記述されている。
メガネ枠の後の縁取りを最終輪郭にするための読み取りの場合、読み取るべき輪郭を持つ物品は、例えばレンズを枠入れするメガネ枠、もっと正確に言えばメガネ枠がブリッジによって連結された二つのリムあるいは周縁を持つ場合、そのメガネ枠のリムあるいは周縁である。
しかしながら、単純な型板、特にリムあるいは周縁がない場合、レンズがブリッジによって互いに直接連結され各々がメガネつるを蝶番止めするベース部材を直接支持する通常“孔あけ取り付け”と呼ばれる装置においても、同様にうまくいく。
【０００３】
この場合、各レンズに少なくとも二つの取り付け孔と、メガネつるのベース部材のための他の孔をあけることが必要である。
従来の方法においては、これらの取り付け孔はレンズの外側輪郭から所定の距離離れている。
しかしながら、それらの取り付け孔が予め定めた特定の位置に非常に正確に位置決めされることが必要であることはもちろんである。
このために、型板はその周囲領域に対応関係をもった取り付け孔を有する。
現在、これらの取り付け孔の位置は多かれ少なかれ手によって測定されているが、これは比較的扱い難く信頼できない作業である。
【０００４】
【発明の目的】
本発明の概略的な目的は、この測定を特に信頼性があり確実な方法で行うことができる装置を提供することである。
【０００５】
【課題を解決するための手段】
本発明は、輪郭読み取り装置、より詳しくは、特にメガネ枠のための輪郭読み取り装置に関し、型板を固定位置に保持するために保持手段と、前記保持手段に対し可動であってフィーラをロッドの端部に支持するキャリッヂとを有し、前記型板の周辺領域の取り付け孔の位置を読み取る、特にメガネ枠のための輪郭読み取り装置であって、前記保持手段の中心領域と同一の側において前記フィーラを支持する前記ロッドの軸線から所定の距離にある前記キャリッヂと一緒に移動することを拘束する少なくとも一つの要素を有する検出器を包含することを特徴とする輪郭読み取り装置である。
実際、この距離は、前記型板の縁部と前記取り付け孔の間の距離と前記ロッドの直径の半分との和に等しい。
【０００６】
それ故に、型板の輪郭を型板の縁部にロッドを当てることによって充分読み取ることができ、移動中キャリッヂに取り付けられた要素は特定された取り付け孔の位置を検出する。
この要素は、例えばキャリッヂによって支持される。
変形例として、この要素はフィーラによって支持される。
変形例として、一方の要素がキャリッヂにあって、他方の要素がフィーラにある。
すべての場合において、取り付け孔の位置は型板の輪郭の読み取りの間に測定でき、従って、特に、輪郭読み取り装置がスクリーンと組み合わさっているならば、スクリーン上に型板の像を提示することによって直ちに使用することができので有利である。
【０００７】
読み取った値は、必要ならば記憶装置に記憶され、一つあるいは複数のレンズ縁取り装置に伝達され、所定のメガネ枠の輪郭と同時に取り付け孔をあける。
【０００８】
【実施例】
本発明の特徴及び利点は、例示のみのための添付の図面を参照する以下の説明から明らかになるであろう。
図１には、本発明を理解するために必要な輪郭読み取り装置のコンポーネントのみが示されている。
輪郭読取装置は、固定ステーションに型板１１を支持するようになった保持装置１０、及び保持装置１０に対し可動であってロッド１３の端部にフィーラ１４を支持するキャリッヂ１２とを有する。
保持装置１０は、それ自身本発明において重要でなく、詳細に説明しない。
図示の実施例において、型板１１が取り付けらたブロック１６を支持するプレート１５と、二つのフィンガ１８を有する二つのアーム１７とを包含する。
【０００９】
アーム１７の各々のフィンガ１８は、輪郭読取装置の二つの支持フィンガ１９Ａ、１９Ｂの間に把持され、その一方は固定され、他方は可動である。
上述した保持装置１０は、例えば１９９４年１２月３０日に出願されたフランス特許出願第９４−１５９４０号に述べられており、この点からこのフランス特許出願に含まれる説明は、本明細書の必須の部分を形成すると見做す。
キャリッヂ１２はそれ自身本発明の一部ではないので、詳細に説明しない。キャリッヂ１２の僅かな部分だけが図示されている。
極座標を使用する装置のためには、例えばキャリッヂ１２はプレートの上に回転可能に取り付けられたテーブル上で可動である。
このタイプの装置は、すでに上述した米国特許第５，１２１，５４８号に述べられている。
【００１０】
フィーラ１４を支持するロッド１３は、キャリッヂ１２の移動方向の対し直角であり、軸線Ａに沿ってキャリッヂ１２上を可動である。これらの配置も本発明の一部の構成しない。
実際、ロッド１３は端部において円形断面の円筒形であって、フィーラ１４は軸線Ａを中心にして回転可能に取り付けられている。
最後に、それ自身知られているように、型板１１は概ね平板の形状であって、その直線の縁部２０は主面２１に対し直交し、縁部２０から距離Ｄ1 の位置の周辺領域に少なくとも一つの取り付け孔２２を有する
本発明によれば、取り付け孔２２の位置の読み取りのために、キャリッヂ１２と一緒の移動を抑制する一つの要素２５を含む検出手段２４を有し、要素２５は型板１１を保持する保持手段１０の中心領域と同じ側に、フィーラ１４を支持するロッド１３の軸線Ａから所定距離Ｄ2 の位置に以下に詳細に説明するように配置されている。
【００１１】
例えば、要素２５は、キャリッヂ１２によって支持された発信受信器であって、保持手段１０の方向を向いている。
使用において、フィーラ１４を支持するロッド１３の外面は、図１に示すように、型板１１の縁部２０に対し押圧される。
ロッド１３の直径をＤ3 とする。
構造によって、
Ｄ2 ＝Ｄ1 ＋０．５Ｄ3 
仮に、要素２５から放射された放射線が、正しい、すなわち使用可能な戻り信号を得るために型板１１から充分に反射されるならば、要素２５はそれ自身で使用される。
【００１２】
この放射線が取り付け孔２２を通過するとき、戻り信号は消え、このことは取り付け孔２２の位置を特定するために充分である。
他方、要素２５によって放射される放射線が型板１１から充分に反射されない時には、フィーラ１４は、図に示すように、要素２５と垂直に整列するミラー２６を支持する。
ミラー２６を設け理由は、取り付け孔２２が要素２５を通過する時に、要素２５が上述したように取り付け孔２２の位置を特定するために充分な戻り信号を受けるためである。
いずれの場合においても、オペレータは組み合わされているスクリーン（図示せず）に上手く型板１１の取り付け孔２２を指示することができる。
【００１３】
このことは、例えば可動十字線を使用することに効果的である。
この代わりに、コンピュータの“マウス”によって制御されるタイプのカーソルを使用することにも効果的である。
それぞれのときに、対応する読み取りが記憶手段に記憶される。
この目的のために、本発明の装置は記憶手段を有する。
例えば、関連するメガネ枠の形に関する読み取りを行うのと同時に、上述した方法で得た取り付け孔の位置を、一つまたは複数の縁取り及び取り付け孔あけ装置に移すための伝達装置を有する。
これらの記憶装置及び発信装置はそれ自身知られており、当業者によって熟知されており、従ってここでは説明しない。
【００１４】
本発明は、説明され図示された実施例に限定されることはなく、そのいかなる変形も包含する。
特に、キャリッヂによって支持する代わりにキャリッヂに取り付けられた発信・受信器がフィーラによって支持されてもよい。
他の実施例として、キャリッヂまたはフィーラのどちらかが発信器がを構成する要素を支持し、他方が受信器を構成する要素を支持してもよい。
すべての場合において、使用される要素は直接あるいは間接にキャリッヂによって支持され、後者と一緒に移動することを拘束する。
【図面の簡単な説明】
【図１】本発明の実施例の輪郭読み取り装置の部分垂直断面図でる。
【符号の説明】
１０            保持装置
１１            型板
１２            キャリッヂ
１４            フィーラ
１５            プレート
１６            ブロック
１７
１８            フィンガ
１９Ａ、１９Ｂ  支持フィンガ
２０            直線縁部
２２            取り付け孔
２４            検出手段
２５            要素
２６            要素
【図１】
0003937249.tif 000002